(57)【要約】      （修正有）【課題】旅行や買い物等で外出する際に携帯し、外出先で所構わずまた他の人に気兼ねすることなく入れ歯を洗浄するのに使用すると便利な入れ歯洗浄用の携帯ケースを提供することをその課題としている。【解決手段】柔軟性を有するシート状本体２と、このシート状本体２の少なくとも片面側に、密閉手段７を開口６に備えた受水袋部３を設けるとともに、前記受水袋部３の開口６に洗浄水充填用のボトル４の口部１６が位置するようにして前記ボトル４を保持する保持手段５を設け、また、受水袋部３の中に吸水材を設け、さらに密閉手段７は、受水袋部３の開口内の片面側に沿って形成した凹部８と、前記開口内の対峙するもう一方の片面側に前記凹部８に対して嵌め合わせ及び離脱可能に形成した凸部９とからなる。【選択図】図１
0003140836.tif 000002
【実用新案登録請求の範囲】
【請求項１】
柔軟性を有するシート状本体の少なくとも片面側に、密閉手段を開口に備えてなる受水袋部と、洗浄水充填用ボトルの口部が前記受水袋部の開口に臨むように前記洗浄水充填用ボトルを保持する保持手段とを設けてなる構成を特徴とする入れ歯洗浄用の携帯ケース。
【請求項２】
受水袋部の中に吸水材を設けたことを特徴とする請求項1記載の入れ歯洗浄用の携帯ケース。
【請求項３】
密閉手段は、受水袋部の開口内の片面側に沿って形成した凹部と、前記開口内の対峙するもう一方の片面側に前記凹部に対して嵌め合わせ及び離脱可能に形成した凸部とからなることを特徴とする請求項1または２記載の入れ歯洗浄用の携帯ケース。
【請求項４】
ボトルは、樹脂製のボトル、金属製のボトル缶、またはガラス壜であることを特徴とする請求項1、２または３記載の入れ歯洗浄用の携帯ケース。
【考案の詳細な説明】
【技術分野】
【０００１】
本考案は、外出先で所構わず簡単に入れ歯洗浄を望む場合に用いると便利な入れ歯洗浄用の携帯ケースに関するものである。
【背景技術】
【０００２】
入れ歯をしている人は、旅行や買い物等で外出しレストラン等で食事をしている時に、歯茎と入れ歯の間に食べ物の一部が挟まることが往々にしてあり、このようになると歯をかみ合わせた時に痛くて噛めなくなる。
【０００３】
そこで、このような状態になった時は食事を一旦中断して急いでトイレの洗面所に行き、入れ歯を外して蛇口からの水で洗浄しているのが現状である。
【０００４】
しかしながら、このように洗面所で入れ歯を洗うとなると時間がかかり、その間に他の人がトイレで用を足して手を洗おうとしても、一箇所しか洗い場のない所では邪魔になって他の人の手洗いの妨げになり、また、洗浄中は他の人の視線が気になり気兼ねしながら洗浄しなければならなかった。
【考案の開示】
【考案が解決しようとする課題】
【０００５】
本考案は前記したような点に鑑みて開発したものであり、旅行や買い物等で外出する際に携帯し、外出先で所構わずまた他の人に気兼ねすることなく入れ歯を洗浄するのに使用すると便利な入れ歯洗浄用の携帯ケースを提供することをその課題としている。
【課題を解決するための手段】
【０００６】
前記課題を解決するために、本考案の第１の入れ歯洗浄用の携帯ケースは、柔軟性を有するシート状本体の少なくとも片面側に、密閉手段を開口に備えてなる受水袋部と、洗浄水充填用ボトルの口部が前記受水袋部の開口に臨むように前記洗浄水充填用ボトルを保持する保持手段とを設けてなることを特徴とする。なお、受水袋部はシート状本体と一体に形成されたものでも、或いはシート状本体と別体として形成された袋であってこの袋をシート状本体に接着または溶着した構成のものであってもよい。また、シート状本体の大きさや形状も特に限定されるものではない。さらに、保持手段および保持手段はシート状本体の両面側に設けたものであってもよい。
【０００７】
本考案の第２の入れ歯洗浄用の携帯ケースは、請求項１に記載の入れ歯洗浄用の携帯ケースの構成において、受水袋部の中に吸水材を設けたことを特徴とする。なお、受水袋部内に入れる吸水材の量は特に限定されるものではない。
【０００８】
本考案の第３の入れ歯洗浄用の携帯ケースは、請求項１または２に記載の入れ歯洗浄用の携帯ケースの構成において、密閉手段は、受水袋部の開口内の片面側に沿って形成した凹部と、前記開口内の対峙するもう一方の片面側に前記凹部に対して嵌め合わせ及び離脱可能に形成した凸部とからなることを特徴とする。
【０００９】
本考案の第４の入れ歯洗浄用の携帯ケースは、請求項１、２または３に記載の入れ歯洗浄用の携帯ケースの構成において、ボトルは、樹脂製のボトル、金属製のボトル缶、またはガラス壜であることを特徴とする。
【考案の効果】
【００１０】
本考案の第１の入れ歯洗浄用の携帯ケースでは、旅行や会合や買い物等の外出時に、ボトルに水道水等の洗浄水を充填し、このボトルを保持手段によってシート状本体に取り付けるとともに柔軟性を有するシート状本体を折り畳んだり丸めたりしてボトルを包むことにより、簡単に手提げバッグ等に入れて携帯することができる。そして外出先で入れ歯を洗浄したい場合には、受水袋部の開口を密閉手段を介して開放し、この開口に臨むボトルの口部を少し開けて洗浄水を受水袋部内に落とし、この間に入れ歯を洗浄すれば、何処ででも他の人に迷惑をかけたり気兼ねしたりすることなく入れ歯を洗浄することができ、大変便利である。勿論、入れ歯を洗浄するにおいて、外出前に使用済みの空のボトルをカバン等に入れて外出先に持参し、入れ歯を洗浄する時に空のボトルに水を入れ、前記したようにしてシート状本体の所定箇所に取り付けてから入れ歯洗浄を行うようにしてもよい。
【００１１】
また、本考案の第２の入れ歯洗浄用の携帯ケースでは、受水袋部の中に吸水材を入れてあるので、ボトルから受水袋部内に落下した洗浄水はこの吸水材に吸い取られる。そのため洗浄後に受水袋部の中で洗浄水が開口から漏れ出すといった懸念を払拭することができる。
【００１２】
また、考案の第３の入れ歯洗浄用の携帯ケースでは、受水袋部の開口を開閉する密閉手段として密に嵌合する凹部と凸部を形成してあるので、入れ歯を洗浄後に、凹部と凸部とを嵌め合せて開口を閉じれば、この開口を確実に密閉することができ、受水袋部内から使用後の洗浄水が漏れ出すこもなく安心してバッグ等に収納して携帯することができる。
【００１３】
本考案の第４の入れ歯洗浄用の携帯ケースでは、市販の清涼飲料水等を入れてある樹脂形成されたペットボトル、金属製のボトル缶、またはガラス製の壜等の容器のいずれかの使用後の容器を使用すれば簡単で経済的である。
【考案を実施するための最良の形態】
【００１４】
以下、添付の図面と共に、本考案の最良の実施形態について説明する。
図１は本考案を実施するための最良の形態の入れ歯洗浄用の携帯ケースの正面図、図２は密閉手段の説明図、図３はボトルを所定箇所にセットして入れ歯洗浄用の携帯ケースを丸めて携帯する場合の状態を示す説明図、図４は受水袋部の中に吸水材を備えた入れ歯洗浄用の携帯ケースの正面図である。
【００１５】
図１に示す入れ歯洗浄用の携帯ケース１は、シート状本体２の片面側に受水袋部３と、ボトル４を保持する保持手段５等を設けた構成からなるものである。
【００１６】
より具体的に説明すると、シート状本体２は柔軟性を有するビニールシート等の樹脂シートや布地等からなり、例えばタテ30ｃｍ×ヨコ４０ｃｍ位の四角形状に形成されたものである。勿論、シート状本体２は前記の大きさや形状に限定されるものではなく、ボトル４を包み込める大きさ形状であれば如何なる大きさ形状に形成したものであってもよい。
【００１７】
シート状本体２の片面の図示(図１)の下半分の箇所には、ボトル４から落下する洗浄水を受ける受水袋部３がシート状本体２に接着してある。この受水袋部３は、塩化ビニール等の耐水性を有する材料で四角形状に形成されていて、一辺側に形成された開口６をシート状本体２の中間部に位置するようにして設けてある。受水袋部３の開口６には、この開口６を簡単に開閉させることができる密着手段７が設けてある。
【００１８】
密着手段７としては、受水袋部３の開口６内の片面側に開口端近傍に沿って両側の端まで一直線上に形成した長い溝状の凹部８と、もう一方の片面側に前記凹部８に対して密着嵌め合わせ及び離脱可能に一直線上に開口６の両端まで隆起形成した凸部９とからなる。この凹部８と凸部９とを嵌め合わせることにより、開口６を閉じて受水袋部３を確実に密閉することができる。また、受水袋部３の開口６を開放する場合は、受水袋部３の片面側を引いたり開口６の両端側から中央方向に力を同時に加えることにより、簡単に凹部８と凸部９との嵌め合わせ状態を解いて密閉された受水袋部３を開放することができる。
【００１９】
シート状本体２の片面の半分側、すなわち前記受水袋部３を設けてない箇所（上半分の箇所）には、ボトル４を保持する保持手段５が設けてある。図示の保持手段５は、シート状本体２と同質の正面視逆さ釣鐘形状に形成した樹脂製シート１０を、シート状本体２の受水袋部３の上方に前方に湾曲して突き出すように配し、両側縁部１１をシート状本体２に接着または溶着して設けられたものである。前記のように樹脂製シート１０をシート状本体２に接着または溶着することによって、シート状本体２と樹脂製シート１０との間にボトル４を収納できる筒状空間部１２が形成される。このシート状本体２と樹脂製シート１０によって形成される上部開口１３は下部開口１４よりも開口面積が広く、上部開口１３からボトル４を逆さにして筒状空間部１２に挿入することができる。この挿入により、ボトル４の上部外周面１５が樹脂製シート１０の下部開口１４近傍の内面に当たり、ボトル４は筒状空間部１２内に収納保持されることになる。この際、ボトル４の口部１６は下部開口１４から下方に突出した状態となり、前記した受水袋部３の開口６の近傍に臨むことになる。
【００２０】
前記のボトル４は、ポリエチレンテレフタレート樹脂で形成されお茶や清涼飲料水等を充填するのに使われている容器（いわゆるにペットボトル (PET bottle) ）であり、清涼飲料水等を飲んで空になったペットボトルを再利用すればよい。なお、ボトルはアルミやステンレス等の金属製のボトル缶やガラス壜であってもよい。
【００２１】
前記のような構成からなる図示の入れ歯洗浄用の携帯ケース１にあっては、入れ歯を使用している人が旅行等で外出する際に、ボトル４に水を充填して口部１０をキャップ１７で蓋をし、ボトル４の口部１０側を下にして前記した筒状空間部１２に収納し、さらにシート状本体２全体を丸め(或いはシート状本体２を中央部で二つ折りして全体を丸め)、ボトル４をシート状本体２で包んで(図３)バッグ等に収納して外出する。
【００２２】
そして外出先で入れ歯を洗浄する必要が生じた場合には、車内や屋外または屋外にかかわらず所望の場所でバッグ等からボトル４を収納した携帯ケース１を取り出し、丸めているシート状本体２を受水袋部３側を下側にして展開し、次に受水袋部３の開口６を開放し、自分の口から外した入れ歯を一方の手で持ち（もう一方の手は携帯ケース１とともにボトル４を持ち）ボトル４のキャップ１７を少し緩めて中の洗浄水を受水袋部３内に落下させ、この間に入れ歯を洗浄水に当てて洗浄すればよい。
【００２３】
このようにすればいつでもどこででも所構わず必用なときに、洗面所等を探すこともなく、人目を気にしたり、他の人に気兼ねすることなく簡単に入れ歯を洗浄することができ、快適に旅行等の外出を楽しむことができる。
【００２４】
図４は．前記の受水袋部３の中に吸水材１８を備えてなる入れ歯洗浄用の携帯ケース１である。吸水材１８としては、高吸収ポリマーシート、吸水シート、吸水紙、天然繊維素材、パルプ粉砕物、吸水性樹脂、またはナイロン樹脂、ビニロン樹脂等のプラスチック繊維製等からなる透水性多孔質材とポリエチレン樹脂、ポリプロピレン樹脂等の合成樹脂製の不透水性シート材との組み合わせからのもの等を使用すればよい。
【００２５】
吸水材１８を受水袋部３の中に備えることによって、ボトル４から落下する洗浄水を吸水材１８で吸水すれば、入れ歯の洗浄中に受水袋部３から洗浄水が零れ出るのを極力防ぐことができ、また、洗浄後に受水袋部３を密閉した後もより確実に水漏れを防止することができ、安心してバッグ等に入れて携帯することができる。
【図面の簡単な説明】
【００２６】
【図１】本考案を実施するための最良の形態の入れ歯洗浄用の携帯ケースの正面図である。
【図２】受水袋部３の密閉手段の説明図であり、（Ａ）は受水袋部３の開放状態を示し（Ｂ）は受水袋部３を閉じた状態を示す図である。
【図３】ボトルを所定箇所にセットして入れ歯洗浄用の携帯ケースを丸めて携帯する場合の状態を示す説明図である。
【図４】受水袋部の中に吸水材を備えた入れ歯洗浄用の携帯ケースの正面図である。
【符号の説明】
【００２７】
１    入れ歯洗浄用の携帯ケース
２    シート状本体
３    受水袋部
４    ボトル
５    保持手段
６    開口
７    密着手段
８    凹部
９    凸部
１６  口部
１８  吸水材
【図１】
0003140836.tif 000003
【図２】
0003140836.tif 000004
【図３】
0003140836.tif 000005
【図４】
0003140836.tif 000006